(57)【特許請求の範囲】
【請求項１】
複数本の中空糸膜によって形成される中空糸膜束と、
前記中空糸膜束が収容される収容部を有するケース本体と前記収容部の開口部を封止するケース蓋とから構成され、前記ケース本体と前記ケース蓋との接合面に設けられた装着溝に装着されるガスケットによってケース内部がケース外部に対して密封されるケースと、
ケース内壁と前記中空糸膜間との間に充填された液状接着剤が硬化することによって形成される、前記中空糸膜束を前記ケース内に封止固定する中空糸膜束固定部と、
前記複数本の中空糸膜を結束する結束部であって、結束部端面において前記中空糸膜の中空内部を開口し、かつ、前記液状接着剤が前記結束部端面側に流出するのを防止する結束部と、を備え、
前記ケースの接合面における前記ガスケットと前記装着溝との間の隙間が、前記ケースの内部空間のうち前記中空糸膜が開口した空間に隣接する接合面と、前記ケースの内部空間のうち前記中空糸膜の外壁面が露出した空間に隣接する接合面と、の境目の領域において封止されていることを特徴とする中空糸膜モジュール。
【請求項２】
前記ケースの接合面のうち前記結束部に近接する領域において、前記ガスケットと前記装着溝との間の隙間に、液状接着剤が充填硬化されていることを特徴とする請求項１に記載の中空糸膜モジュール。
【請求項３】
前記ケースの接合面のうち前記結束部に近接する領域において、装着前における前記ガスケットの容積が前記装着溝の収容容積に対して同等以上であることを特徴とする請求項１に記載の中空糸膜モジュール。
【請求項４】
前記ケースが、前記ケースの内部空間のうち前記中空糸膜束固定部が形成される領域と、前記装着溝において装着前における前記ガスケットの容積が前記装着溝の収容容積に対して同等以上となる領域の近傍と、を連通する貫通孔を備えることを請求項３に記載の中空糸膜モジュール。
【請求項５】
複数本の中空糸膜の端部を結束し、結束部端面で中空糸膜の中空内部が開口する中空糸膜束を形成する工程と、
前記中空糸膜束が収容される収容部を有するケース本体と前記収容部の開口部を封止するケース蓋とから構成され、前記ケース本体と前記ケース蓋との接合面に設けられた装着溝に装着されるガスケットによってケース内部がケース外部に対して密封されるケース内に、前記中空糸膜束を収容する工程と、
前記中空糸膜束の前記結束部よりも内側に液状接着剤を注入し、該液状接着剤の硬化により前記中空糸膜束を前記ケース内に封止固定する工程と、を有する中空糸膜モジュールの製造方法において、
前記ケース内に前記中空糸膜束を収容する工程において、前記ガスケットを装着溝に装着して前記収容部の開口部をケース蓋によって封止する前に、前記装着溝において前記結束部に近接する領域に液状接着剤を注入する工程を有することを特徴とする中空糸膜モジュールの製造方法。
【発明の詳細な説明】
【技術分野】
【０００１】
本発明は、中空糸膜の膜分離作用を利用して、気体の加湿、除湿、分離、ならびに液体の分離等を行う中空糸膜モジュール及び該中空糸膜モジュールの製造方法に関するものである。
【背景技術】
【０００２】
小型の固体高分子型燃料電池において反応ガスの加湿等に用いる中空糸膜モジュールとして、燃料電池スタックに一体的に積層して使用することが可能な中空糸膜モジュールが特許文献１に開示されている。
【０００３】
この中空糸膜モジュールは、燃料電池スタックと一体化して使用することになるため、ケースとして一般的な材料である樹脂材製のものを用いる場合には強度の関係上締結板等により補強する必要がある。また、中空糸膜モジュールによる水蒸気交換機能をより有効に発現させるため、あるいは、発電により発生する熱の放出を行うため、高い熱伝導性も要求される。このような要求に応えるため、中空糸膜モジュールのケース材料として比熱の小さい金属を採用することが考えられる。その一方、携帯機器用に使用する場合には、個々の構成部品として重量が小さいことが要求される。これら熱伝導性や重量の観点から、ケース材料としては、アルミニウム、マグネシウム、あるいはそれらの合金を採用することが望ましい。
【０００４】
一方、この中空糸膜モジュールは、ケースがケース本体とケース蓋とに分割されており、予め製作した中空糸膜束をケース本体の収容部に収容してからケース蓋で収容部の開口部をふさぐことにより、ケース内部に中空糸膜束を収容する構成となっている。この場合、ケース本体とケース蓋との取り付けは接着剤によってケース蓋をケース本体に貼り付けることが考えられるが、モジュールを小型化する場合や複雑な構成を採用する場合には、接着面積が減少したり接着面が複雑な形状となることが考えられ、接着面積の確保が困難となって十分なガスの封止性能が得られないおそれがある。
【０００５】
接着剤による接着以外の方法としては、ガスケットを用いる方法が挙げられる。ここで、図１１及び図１２を参照して、ガスケットを用いた場合の中空糸膜モジュールの構成について説明する。図１１は、中空糸膜モジュールの構成について説明する模式的平面図であり、（ａ）は、ケース蓋を接合面側からみた平面図であり、（ｂ）は、ケース本体を接合面側からみた平面図であり、（ｃ）は、ケース蓋をケース本体に取付けた状態における透視平面図である。図１２は、図１１（ｃ）のＸＸ断面に対応する中空糸膜モジュールの模式的断面図であり、（ａ）は、ケース蓋を取付ける前の状態、（ｂ）は、ケース蓋を取付けた後の状態をそれぞれ示している。
【０００６】
中空糸膜モジュール１０１は、概略、中空糸膜束１０２と、該中空糸膜束１０２を収容するケース１０３とから構成される。中空糸膜束１０２は、複数の中空糸膜１０４を束ね、その両端部が、シリコン、ウレタン等の柔軟性のある弾性材料からなる結束部１０５によって、各中空糸膜１０４の両端面を開口した状態で結束されている。ケース１０３は、略六面体形状を有し、不図示の燃料電池スタックとの積層方向（図１１において紙面に垂直な方向）においてケース蓋１３１とケース本体１３２とに２分割された構成となっている。ケース本体１３２は、中空糸膜束１０２が収容される収容部１２２を有している。
【０００７】
中空糸膜束１０２は、ケース１０３内に収容された後、ケース１０３に設けられた不図示の注入口から結束部１０５の内側に注入された液状接着剤（ポッティング剤）が硬化す
ることにより、ケース１０３内に固定される（固定部１０６）。
【０００８】
ケース蓋１３１のケース本体１３２との接合面には、ガスケット１０７が一体成形されており、ケース本体１３２のケース蓋１３１との接合面には、ガスケット１０７が装着される装着溝１０８が設けられている。ケース蓋１３１がケース本体１３２に取付けられると、ガスケット１０７がケース蓋１３１と装着溝１０８の溝底面とによって圧縮されて密着することによりシール面が形成される。これにより、ケース内部がケース外部に対して密封されることになる。
【特許文献１】特開２００６−２２４０９６号公報
【発明の開示】
【発明が解決しようとする課題】
【０００９】
しかしながら、ガスケット１０７を用いた密封構造においては、装着性等の観点から装着時におけるガスケット１０７の装着溝１０８に対する充填率が１００％とならない設計となっているため、ガスケット１０７と装着溝１０８の側壁面との間に隙間１０９が形成される。また、ガスケット１０７が密着する箇所以外の領域においては、ケース蓋１３１とケース本体１３２との密着性が高くないため、図１２（ｂ）において円で囲って示したガスケット１０７よりも内側（ケース内部側）の隙間１０９は、ケース１０３内部と連通してしまう。
【００１０】
ケース１０３の内部空間（中空糸膜束１０２が収容される空間）は、中空糸膜束１０２の結束部１０５の外周面全体がケース１０３の内壁面に密着することで、中空糸膜１０４の外部側の流通空間と中空糸膜１０４の内部側の流通空間とが互いに独立した空間となるように構成されているが、上述のように隙間１０９が形成されることによって両流通空間が隙間１０９を介して疎通してしまう。
【００１１】
そこで、隙間１０９を埋めるために装着溝１０８の全周に渡って隙間１０９に液状接着剤を充填させることが考えられるが、液状接着剤の硬化時における収縮や発泡等によって、充分な密封性が得られなかったり、ガスケット１０７を変形等させてガスケット１０７の密封性に影響を与えることが懸念される。
【００１２】
また、装着溝１０８に堰等を形成することにより流通空間の疎通を防止することも考えられるが、かかる構成は接合面の加工精度が高くなければ十分な密封性を得ることができないため、小型の中空糸膜モジュールにおける寸法公差等の影響を考えると現実的ではない。
【００１３】
本発明は上記の従来技術の課題を解決するためになされたもので、その目的とするところは、密封性が向上されたケースを備えた中空糸膜モジュール及び中空糸膜モジュールの製造方法を提供することにある。
【課題を解決するための手段】
【００１４】
上記目的を達成するために、本発明における中空糸膜モジュールは、
前記中空糸膜束が収容される収容部を有するケース本体と前記収容部の開口部を封止するケース蓋とから構成され、前記ケース本体と前記ケース蓋との接合面に設けられた装着溝に装着されるガスケットによってケース内部がケース外部に対して密封されるケースと、
ケース内壁と前記中空糸膜間との間に充填された液状接着剤が硬化することによって形成される、前記中空糸膜束を前記ケース内に封止固定する中空糸膜束固定部と、
前記複数本の中空糸膜を結束する結束部であって、結束部端面において前記中空糸膜の中空内部を開口し、かつ、前記液状接着剤が前記結束部端面側に流出するのを防止する結
束部と、を備え、
前記ケースの接合面における前記ガスケットと前記装着溝との間の隙間が、前記ケースの内部空間のうち前記中空糸膜が開口した空間に隣接する接合面と、前記ケースの内部空間のうち前記中空糸膜の外壁面が露出した空間に隣接する接合面と、の境目の領域において封止されていることを特徴とする。
【００１５】
これにより、ケースの接合面におけるガスケットと装着溝との間の隙間において、ケースの内部空間において中空糸膜の中空内部が開口する空間に隣接する接合面における隙間と、ケースの内部空間において中空糸膜の外壁面が露出する空間に隣接する接合面における隙間とが、互いに連通しなくなり、結束部及び中空糸膜固定部によって仕切られた中空糸膜の外部側の流通空間と内部側の流通空間とが、ガスケットと装着溝との間に形成される隙間を介して疎通してしまうのが抑制される。
【００１６】
前記ケースの接合面のうち前記結束部に近接する領域において、前記ガスケットと前記装着溝との間の隙間に、液状接着剤が充填硬化されているとよい。
【００１７】
このように、結束部に近接する領域（接合面のうち結束部に隣接する領域を含む領域）においてガスケットと装着溝との間の隙間に液状接着剤が充填硬化されているので、ケースの内部空間のうち中空糸膜が開口した空間に隣接する接合面と、ケースの内部空間のうち中空糸膜の外壁面が露出した空間に隣接する接合面との境目の領域において、ガスケットと装着溝との間の隙間が封止される。これにより、中空糸膜の外部側の流通空間と内部側の流通空間とが、ガスケットと装着溝との間に形成される隙間を介して疎通してしまうのが抑制される。
【００１８】
また、結束部に近接する領域においてガスケットと装着溝との間の隙間に液状接着剤が充填硬化されていることにより、中空糸膜束をケース内に封止固定するために液状接着剤を注入する際に、結束部よりも内側に注入した液状接着剤がガスケットと装着溝との間の隙間を介して結束部端面側に流出してしまうのが抑制される。
【００１９】
また、液状接着剤が充填される範囲は、結束部に近接する領域のみの部分的なものでよいので、液状接着剤の硬化時における収縮や発泡等の影響を少なくすることができる。
【００２０】
前記ケースの接合面のうち前記結束部に近接する領域において、装着前における前記ガスケットの容積が前記装着溝の収容容積に対して同等以上であるのもよい。
【００２１】
これにより、ケースの接合面のうち結束部に近接する領域においては、ガスケットの装着溝に対する充填率を１００パーセントあるいはそれと同程度とすることができる。したがって、中空糸膜の外部側の流通空間と内部側の流通空間とが、ガスケットと装着溝との間の隙間を介して疎通してしまうのが抑制される。
【００２２】
また、ガスケットの容積を装着溝の収容容積に対して同等以上とする領域は、結束部に近接する領域のみの部分的なものでよいので、装着性への影響を少なくすることができる。
【００２３】
前記ケースが、前記ケースの内部空間のうち前記中空糸膜束固定部が形成される領域と、前記装着溝において装着前における前記ガスケットの容積が前記装着溝の収容容積に対して同等以上となる領域の近傍と、を連通する貫通孔を備えるとよい。
【００２４】
ガスケットや装着溝の寸法精度や組み付け公差等の影響によっては、ケース接合面のうち装着前におけるガスケットの容積が装着溝の収容容積に対して同等以上となる領域にお
けるガスケットと装着溝との間に、中空糸膜が開口した空間に隣接する側と、中空糸膜の外壁面が露出した空間に隣接する側とを疎通させるような隙間が形成される場合がある。すなわち、ガスケットの装着溝に対する充填率が１００パーセントとならない場合がある。そのような場合でも、中空糸膜束を固定するための液状接着剤を利用して、かかる隙間を埋めて中空糸膜の外部側の流通空間と内部側の流通空間との疎通を抑制することができる。すなわち、中空糸膜束固定部を形成するためにケース内に注入された液状接着剤の一部が、貫通孔を介して装着溝とガスケットとの間の隙間に入り込んで隙間を埋めることができ、これにより、中空糸膜の外部側の流通空間と内部側の流通空間とが、ガスケットと装着溝との間の隙間を介して疎通してしまうのを抑制することができる。
【００２５】
上記目的を達成するために、本発明における中空糸膜モジュールの製造方法は、
複数本の中空糸膜の端部を結束し、結束部端面で中空糸膜の中空内部が開口する中空糸膜束を形成する工程と、
前記中空糸膜束が収容される収容部を有するケース本体と前記収容部の開口部を封止するケース蓋とから構成され、前記ケース本体と前記ケース蓋との接合面に設けられた装着溝に装着されるガスケットによってケース内部がケース外部に対して密封されるケース内に、前記中空糸膜束を収容する工程と、
前記中空糸膜束の前記結束部よりも内側に液状接着剤を注入し、該液状接着剤の硬化により前記中空糸膜束を前記ケース内に封止固定する工程と、を有する中空糸膜モジュールの製造方法において、
前記ケース内に前記中空糸膜束を収容する工程において、前記ガスケットを装着溝に装着して前記収容部の開口部をケース蓋によって封止する前に、前記装着溝において前記結束部に近接する領域に液状接着剤を注入する工程を有することを特徴とする。
【００２６】
このように、ガスケットを装着溝に装着してケース蓋を取付ける前に、予め装着溝に液状接着剤を注入しておくことにより、液状接着剤の粘性によりガスケットと装着溝との間の隙間が液状接着剤により満たされることになる。これにより、結束部に近接する領域においてガスケットと装着溝との間の隙間に液状接着剤を充填硬化させることができる。
【００２７】
したがって、中空糸膜束をケース内に封止固定するために液状接着剤を注入する際に、結束部よりも内側に注入した液状接着剤がガスケットと装着溝との間の隙間を介して結束部端面側に流出してしまうのが抑制される。また、中空糸膜モジュールの使用時においては、中空糸膜の外部側の流通空間と内部側の流通空間とが、ガスケットと装着溝との間に形成される隙間を介して疎通してしまうのが抑制される。
【発明の効果】
【００２８】
以上説明したように、本発明により、中空糸膜モジュールのケースの密封性を向上させることができる。
【発明を実施するための最良の形態】
【００２９】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００３０】
（実施例１）
まず、図１及び図２を参照して、本発明の実施例１に係る中空糸膜モジュールについて説明する。図１（ａ）は、本実施例に係る中空糸膜モジュールの模式的斜視図である。図１（ｂ）は、図１（ａ）において矢印Ａの方向からみた中空糸膜モジュールの模式的平面図である。図１（ｃ）は、図１（ａ）において矢印Ｂの方向からみた中空糸膜モジュール
の模式的正面図である。図２（ａ）は、本実施例に係る中空糸膜モジュールの図１（ｃ）のＣ−Ｃ断面の模式図である。図２（ｂ）は本実施例に係る中空糸膜モジュールの図１（ｂ）のＤ−Ｄ断面の模式図である。
【００３１】
本実施例に係る中空糸膜モジュール１は、中空糸膜束２と、ケース３と、を備える。中空糸膜束２は、複数の中空糸膜４を束ね、各中空糸膜４の両端面を開口した状態で、その両端部を例えばシリコン、ウレタン等の柔軟性のある弾性材料で結束（結束部５）している。略六面体形状のケース３には、流体を中空糸膜４の膜内部に流通させるための一対の第１開口部６１、６２と、流体を中空糸膜の膜外部に流通させるための一対の第２開口部７１、７２とが設けられている。
【００３２】
ケース３には中空糸膜モジュール１を燃料電池等の取付相手（図示せず）に取付けるためのピン穴８が設けられており、該ピン穴８に通したネジ等により、中空糸膜モジュール１と取付相手とを積層して一体に組付け締結することができる。本実施例においては、取付相手への取付手段としてピン穴を用いているが、例えば、モジュールケースに設けた凸部と取付相手に設けた凹部とを嵌合させることにより取付ける等の、他の位置決め手段を用いることも可能である。
【００３３】
弾性材料からなる結束部５は、第１開口部６１と第２開口部７１との間、及び第１開口部６２と第２開口部７２との間に配置されている。結束部５と第２開口部７１、７２との間には、例えば、エポキシ、ウレタン等の液状接着剤が充填され、液状接着剤の硬化により中空糸膜束２はケース内に封止固定される（固定部９）。
【００３４】
ケース３の内部空間は、結束部５及び固定部９により、ケース内壁面と中空糸膜の中空内部が開口した結束部５の端面とにより形成される空間（２４）と、ケース内壁面と中空糸膜４の膜外壁面と固定部９とにより形成される空間（２３）とに分割される。これにより、第１開口部６１、６２と、ケース内壁面及び結束部端面により形成される空間と、中空糸膜４の中空内部とにより、第１の経路が形成され、第２開口部７１、７２と、ケース内壁面、中空糸膜膜外壁面及び固定部９とにより形成される空間とにより、第２の経路が形成される。
【００３５】
ケース３としては、一般的な材料である樹脂材製のものも採用することができるが、中空糸膜モジュール１を燃料電池の反応ガスの加湿用として燃料電池スタックに積層して使用する場合には、ケース３として金属材料、例えば、アルミニウム、ステンレス鋼、マグネシウム、もしくはこれらの合金からなるものを採用することにより、中空糸膜モジュール１を燃料電池スタックの集電板および締結板としても機能させることができる。また、その熱伝導性により、発電によって発生する熱の放熱を中空糸膜モジュールを介して行うことも可能となる。また、金属製のケース表面には金メッキ処理等を施すことにより、中空糸膜モジュールの耐食性を向上させることができる。
【００３６】
次に、以上のように構成された中空糸膜モジュールの使用方法について説明する。
【００３７】
まず、水蒸気を含む空気等の気体や水（以下「気体等」という）を、一方の第１開口部６１からケース３内部に送り込む（矢印Ｅ）。ケース３内部に送り込まれた気体等は、中空糸膜４の中空内部を通って、他方の第１開口部６２から排出される。
【００３８】
一方、加湿対象気体を、一方の第２開口部７１からケース３内部に送り込む（矢印Ｆ）。ケース３内部に送り込まれた気体等は、中空糸膜４の膜外部を通って、他方の第２開口部７２から排出され、燃料電池等の取付相手内へ送り込まれる。
【００３９】
これにより、水蒸気を含んだ気体等が中空糸膜４の中空内部を通過する過程で、気体等に含まれる水分が膜を透過して中空糸膜４の膜外部に排出される。従って、加湿対象気体は、中空糸膜４の膜外部を通る過程で加湿されて、取付相手内へ送り込まれることになる。
【００４０】
なお、これまでの説明では、中空糸膜４の中空内部側に水蒸気を含む気体等を流し、中空糸膜４の外部側に加湿対象気体を流す場合を説明したが、これとは逆に、中空糸膜４の外部側に水蒸気を含む気体等を流し、中空糸膜４の中空内部側に加湿対象気体を流すようにしても、加湿対象気体を加湿できることはいうまでもない。
【００４１】
また、水蒸気を含む気体等や加湿対象気体を流す向きについても上記説明とは逆の向き（すなわち、第１開口部６２からケース内部３に送り込み、第１開口部６１から排出する、または、第２開口部７２からケース内部３に送り込み、第２開口部７１から排出する）としてもよい。また、ケースにおける各開口部の位置も取付相手の仕様等に応じて適宜変更することができる。
【００４２】
また、本実施例においては、中空糸膜の膜分離作用を利用した気体の加湿を行う場合について説明したが、該膜分離作用を利用した気体の除湿、流体中の異物の除去、分離等を行うことも可能である。
【００４３】
次に、本実施例に係る中空糸膜モジュールの製造方法について図３及び図４を参照して説明する。図３は、本実施例に係る中空糸膜モジュールの概略構成を説明する模式的斜視図である。図４は、本実施例に係る中空糸膜モジュールの模式的製造工程図である。なお、図４（ａ）は、中空糸膜束を収容する前のケース本体を示す模式的平面図であり、図４（ｂ）は、ケース本体に中空糸膜束を収容した状態を示す模式的平面図であり、図４（ｃ）は、ケース本体にケース蓋を接着した状態を示す模式的透視平面図である。
【００４４】
略六面体のケース３は、不図示の燃料電池スタックとの積層方向（図４において紙面に垂直な方向）においてケース蓋３１とケース本体３２とに２分割された構成である。ケース本体３２は、中空糸膜束２が収容される膜収容部２２を有する。
【００４５】
膜収容部２２は、ケース蓋３１との積層方向に開口しており、中空糸膜束２が収容された後、ケース蓋３１によって開口部が封止される（塞がれる）。ケース３内部に収容された中空糸膜束２の結束部５は、その外周面全体がケース３の内壁に密着する。
【００４６】
ケース３には、第２開口部７１，７２、液状接着剤の注入口１０、液状接着剤の排出口１１が、中空糸膜束２の結束部５の収容箇所よりも内側に設けられており、中空糸膜４の充填領域とケース３の外部とを連通している。
【００４７】
第２開口部７１は、中空糸膜束２の一方の結束部５の側に、第２開口部７２は、中空糸膜束２の他方の結束部５の側に、それぞれ設けられる。注入口１０は、一方の結束部５と第２開口部７１との間、及び他方の結束部５と第２開口部７２との間にそれぞれ１つずつ設けられる。排出口１１は、各注入口１０と第２開口部７１、７２との間にそれぞれ一対ずつ設けられる。膜収容部２２の底面には、注入口１０と排出口１１との間に、液状接着剤の膜収容部２２上への回り込みを助けるための溝９２が設けられる。
【００４８】
注入口１０から液状接着剤をケース３内部に流し込む（矢印Ｈ）。流し込まれた液状接着剤は、中空糸膜４の開口端面側が結束部５により密封されているため、排出口１１からオーバーフローすることになる（矢印Ｉ）。液状接着剤が排出口１１からオーバーフローして排出口１１が液状接着剤で満たされるまで、液状接着剤を流し込み、硬化させる。注
入口１０及び排出口１１は硬化した接着剤により塞がれる（固定部９）。
【００４９】
次に、図５及び図６を参照して、本実施例に係る中空糸膜モジュールの特徴的な構成について説明する。図５は、ケース蓋３１が取付けられる前の状態を示す模式的平面図である。図６は、図５のＧＧ断面に対応する模式的一部拡大断面図であり、（ａ）は、ケース蓋３１の取付前の状態であって、液状接着剤が注入される前の状態、（ｂ）は、ケース蓋３１の取付前の状態であって、液状接着剤が注入された後の状態、（ｃ）は、ケース蓋３１の取付後の状態をそれぞれ示す。
【００５０】
本実施例に係る中空糸膜モジュール１においては、ケース蓋３１とケース本体３２の接合面をガスケット１２によって密封する構成を採用している。すなわち、ケース蓋３１におけるケース本体３２との接合面３１ａに、ガスケット１２が一体成形されており、ケース本体３２におけるケース蓋３１との接合面３２ａには、ガスケット１２が装着される装着溝１３が設けられている。ケース蓋３１がケース本体３２に取付けられると、ガスケット１２がケース蓋３１の接合面３１ａと装着溝１３の溝底面とによって圧縮されて密着することによりシール面が形成される。これにより、ケース内部がケース外部に対して密封されることになる。
【００５１】
ここで、装着時におけるガスケット１２の装着溝１３に対する充填率は、装着性等を考慮して１００％とならない設計となっている。したがって、図６（ｃ）に示すように、ガスケット１２と装着溝１３の側壁面との間には隙間１５が形成される。ケース蓋３１とケース本体３２との接合面は、ガスケット１２が密着する箇所以外の領域では密着性が高くないため、隙間１５を介して中空糸膜４の外部側の流通空間と中空糸膜４の内部側の流通空間とが疎通してしまうおそれがある。
【００５２】
そこで、本実施例に係る中空糸膜モジュールにおいては、ケース蓋３１とケース本体３２の接合面における結束部５に近接する領域（図５において円で囲んだ４箇所の部分）において隙間１５に液状接着剤１４が充填硬化されている。
【００５３】
液状接着剤１４の充填は、ケース蓋３１をケース本体３２に取付ける前（ガスケット１２が装着溝１３に装着される前）に、装着溝１３において結束部５に近接する領域（接合面のうち結束部５に隣接する領域を含む領域における装着溝１３の領域）に液状接着剤１４を注入しておくことにより行う（図６（ｂ））。すなわち、予め液状接着剤１４を装着溝１３における適用箇所に注入しておいてからケース蓋３１を取付ける（ガスケット１２を装着溝に装着する）ことで、液状接着剤１４の粘性により隙間１５が液状接着剤１４で満たされることになる（図６（ｃ））。
【００５４】
このように充填硬化される接着剤によって結束部５に近接する領域における隙間１５が封止されることにより、結束部５によって仕切られた中空糸膜４の外部側の流通空間と内部側の流通空間とが、ガスケット１２と装着溝１３との間に形成される隙間１５を介して疎通してしまうのが抑制される。
【００５５】
また、注入口１０から液状接着剤を流し込んで固定部９を形成する際に、注入した液状接着剤が隙間１５を介して結束部５の端面とケース３の内壁とによって形成される空間２４（中空糸膜４の内部側の流通空間）まで回り込んで流出してしまうのが抑制される。
【００５６】
また、液状接着剤１４は、装着溝１３の全周ではなく結束部５に近接した領域のみに部分的に充填されるので、液状接着剤１４の硬化時における収縮や発泡等の影響が少ない。
【００５７】
なお、上記実施例では、ガスケット１２をケース蓋３１に一体成形した構成としている
が、ガスケットによる密封構造としてはこれに限られるものではない。すなわち、ガスケット１２を相手部材に一体成形せずに別体とした構成であってもよいし、また、ガスケット１２をケース蓋３１ではなくケース本体３２の接合面３２ａに一体成形し、装着溝１３をケース蓋３１の接合面３１ａに設ける構成であってもよい。さらに、ガスケット１２を別体とする場合には、装着溝１３は、ケース蓋３１とケース本体３２の両方の接合面に設けられる構成であってもよい。
【００５８】
（実施例２）
次に、図７を参照して、本発明の実施例２に係る中空糸膜モジュールについて説明する。図７は、本実施例に係る中空糸膜モジュールの模式的一部拡大断面図であり、（ａ）は、ケース蓋３１の取付前の状態、（ｂ）は、ケース蓋３１の取付後の状態をそれぞれ示しており、図５のＧＧ断面に対応している。なお、ここでは、実施例１と共通する構成については同じ符号を付してその説明を省略する。特に説明しない構成及びその作用効果等については実施例１と同様である。
【００５９】
本実施例に係る中空糸膜モジュールは、ケース蓋３１とケース本体３２の接合面において結束部５に近接する領域（接合面のうち結束部５に隣接する領域を含む領域であって、図５において円で囲んだ４箇所の部分）におけるガスケット１２´の容積が、同領域における装着溝１３´の収容容積の１００〜１０５パーセントとなるように構成されている。したがって、ケース蓋３１とケース本体３２を接合した状態においては、結束部５に近接する領域においてガスケット１２´の装着溝１３´に対する充填率が１００パーセントあるいは同程度となり、図６（ｃ）に示すような隙間１５が、ガスケット１２´と装着溝１３´との間に形成されないように構成されている。
【００６０】
これにより、ガスケット１２´と装着溝１３´との間に形成される隙間が、結束部５に近接する領域で封止される。すなわち、ケース３の内部空間のうち中空糸膜４の外壁面が露出する空間（空間２３）に隣接する接合面におけるガスケット１２´と装着溝１３´との間の隙間と、ケース３の内部空間のうち中空糸膜４が開口する空間（空間２４）に隣接する接合面におけるガスケット１２´と装着溝１３´との間の隙間との流通が遮断される。
【００６１】
したがって、中空糸膜４の外部側を流通する気体等が、ケース蓋３１とケース本体３２の接合面から、空間２３に隣接する接合面におけるガスケット１２´と装着溝１３´との間の隙間に漏れ出ても、空間２４に隣接する接合面におけるガスケット１２´と装着溝１３´との間の隙間まで流れていくことが抑制される。これにより、中空糸膜４の外部側を流通する気体等が中空糸膜４の内部側の流通空間に漏れ出てしまうのが抑制される。同様にして、中空糸膜４の内部側を流通する気体等が中空糸膜４の外部側の流通空間に漏れ出てしまうのも抑制される。すなわち、結束部５によって仕切られた中空糸膜４の外部側の流通空間と内部側の流通空間との疎通が抑制される。
【００６２】
このように、結束部５に近接する領域においてガスケット１２´の充填率が１００パーセントあるいはそれと同程度となるような、具体的なガスケット１２´及び装着溝１３´の構成としては、以下のようなものが挙げられる。
【００６３】
例えば、ガスケット１２´の断面形状を、全ての領域で一定の形状とするのではなく、結束部に隣接する領域において部分的に大きくすることにより、局所的に充填率を上げることができる。この場合、かかる領域においてのみガスケット１２´の高さが高くなるような構成とすることができる。
【００６４】
あるいは、ガスケット１２´の断面形状は変化させず、装着溝１３´の断面形状が、結
束部に隣接する領域でのみ部分的に小さなるような構成であってもよい。例えば、ガスケット１２´は全ての領域で一定の断面形状とし、装着溝１３´の深さがかかる領域においてのみ部分的に浅くなる構成とすることができる。
【００６５】
あるいは、上述の構成を組み合わせたものであってもよい。すなわち、ガスケット１２´の断面形状を部分的に大きくするとともに、装着溝１３´の深さや幅を部分的に小さくする構成であってもよい。
【００６６】
ただし、ガスケット１２´の装着性を考慮すると、ガスケット１２´の断面形状を大きくする場合には、装着溝１３´の幅に対して幅方向にあまり大きくせずに、ガスケット１２´の高さを装着溝１３´の深さに対して大きくすることにより断面形状を大きくするのが好ましい。また、装着溝１３´の断面形状を小さくする場合には、幅はあまり小さくせずに深さを浅くすることにより断面形状を小さくするのが好ましい。
【００６７】
なお、ガスケット１２´の断面形状については、本実施例では図に示すように幅方向の中央部に隆起部を設けたものとしているが、これに限られるものではなく、装着溝１３´に装着したときに充填率が１００パーセントあるいはそれと同程度となるものであれば、種々の形状を採用することができる。
【００６８】
また、固定部９を形成する際の液状接着剤の流出防止効果や、ガスケット１２´を、ケース蓋３１ではなくケース本体３２の接合面３２ａに一体成形する構成や、ケース蓋３１やケース本体３２とは別体とする構成等を適宜採用できる点は、実施例１の場合と同様である。
【００６９】
（実施例３）
次に、図８を参照して、本発明の実施例２に係る中空糸膜モジュールについて説明する。図８は、本実施例に係る中空糸膜モジュールの模式的一部拡大断面図であり、（ａ）は、ケース蓋３１の取付前の状態、（ｂ）は、ケース蓋３１の取付後の状態をそれぞれ示しており、図５のＧＧ断面に対応している。なお、ここでは、上記実施例と共通する構成については同じ符号を付してその説明を省略する。特に説明しない構成及びその作用効果等については上記実施例と同様である。
【００７０】
本実施例では、ケース蓋３１とケース本体３２の接合面において結束部５に近接する領域（接合面のうち結束部５に隣接する領域を含む領域であって、図５において円で囲んだ４箇所の部分）における装着溝１３´´の断面形状を、ガスケット１２´´の断面形状と相似させたものとしている。さらに、装着溝１３´´の収容容積をガスケット１２´´の容積よりも若干小さくしている。具体的には、装着溝１３´´の収容容積をガスケット１２´´の容積よりも１〜１０パーセント、好ましくは、１〜５パーセント小さくしている。
【００７１】
したがって、ケース蓋３１とケース本体３２を接合した状態においては、結束部５に近接する領域においてガスケット１２´´の装着溝１３´´に対する充填率が１００パーセントあるいはそれと同程度となり、図６（ｃ）に示すような隙間１５が、ガスケット１２´´と装着溝１３´´との間に形成されるのを抑制することができる。これにより、ガスケット１２´´と装着溝１３´´との間に形成される隙間が、結束部５に近接する領域で遮断（封止）され、結束部５によって仕切られた中空糸膜４の外部側の流通空間と内部側の流通空間との疎通が抑制される。
【００７２】
また、装着溝１３´´の断面形状を、ガスケット１２´´の断面形状と相似させることで、装着時にガスケット１２´´が均一に圧縮されることになり、装着溝１３´´に対し
て隙間なく密着させることが可能となる。これにより、良好な封止状態を形成することができる。
【００７３】
なお、ガスケット１２´´の断面形状については、本実施例では図に示すように幅方向の中央部が最も隆起した山型形状としているが、これに限られるものではなく、種々の形状を採用することができる。
【００７４】
また、本実施例では、装着溝１３´´の断面形状をガスケット１２´´の断面形状に相似させているが、逆に、ガスケット１２´´の断面形状を装着溝１３´´の断面形状に相似させてもよい。この場合、結束部５に近接する領域においてガスケット１２´´の断面形状を装着溝１３´´の断面形状に相似した略矩形断面とすることにより、装着溝１３´´の断面形状の単純化を図ることもできる。
【００７５】
また、結束部５に近接する領域において装着溝１３´´の収容容積をガスケット１２´´の容積よりも若干小さくする構成としては、ガスケット１２´´を部分的に大きくすることで相対的に装着溝１３´´の収容容積を小さくしてもよいし、逆に、装着溝１３´´を部分的に小さくすることで相対的に装着溝１３´´の収容容積を小さくしてもよい。
【００７６】
また、固定部９を形成する際の液状接着剤の流出防止効果や、ガスケット１２´´を、ケース蓋３１ではなくケース本体３２の接合面３２ａに一体成形する構成や、ケース蓋３１やケース本体３２とは別体とする構成等を適宜採用できる点は、実施例１の場合と同様である。
【００７７】
（実施例４）
次に、図９及び図１０を参照して、本発明の実施例４に係る中空糸膜モジュールについて説明する。図９は、本実施例に係る中空糸膜モジュールにおいてケース蓋３１が取付けられる前の状態を示す模式的一部拡大平面図である。図１０は、本実施例に係る中空糸膜モジュールの模式的一部拡大断面図であり、（ａ）は、ケース蓋３１の取付前の状態、（ｂ）は、ケース蓋３１が取付られ固定部９が形成された後の状態をそれぞれ示す、図９のＪＪ断面に対応した図であり、（ｃ）は、（ｂ）と同じ状態において、図９のＫＫ断面に対応した図である。なお、ここでは、上記実施例と共通する構成については同じ符号を付してその説明を省略する。特に説明しない構成及びその作用効果等については上記実施例と同様である。
【００７８】
本実施例に係る中空糸膜モジュールは、上記実施例２に係る中空糸膜モジュールの構成において、ケース本体３２に、装着溝１３´におけるケース内部側の側壁面とケース３の内壁面との間を貫通する貫通孔３３が設けられた構成となっている。貫通孔３３は、装着溝１３´の側壁面に対しては装着前におけるガスケット１２´の容積が装着溝１３´の収容容積に対して同等以上となる領域(図５において円で囲んだ４箇所の部分であって図９
においてＬで示した範囲。以下、領域Ｌとする)の近傍で開口するとともに、ケース３の
内壁面に対しては固定部９が形成される領域で開口している。貫通孔３３は、図５において円で囲んだ４箇所のそれぞれに設けられている。この貫通孔３３により、装着溝１３´のうち領域Ｌ近傍と、ケース３の内部空間のうち固定部９が形成される領域と、が連通されることになる。
【００７９】
上記実施例２に係る中空糸膜モジュールの構成においては、ガスケット１２´や装着溝１３´の寸法精度や組み付け公差等の影響によって、ケース接合面のうち結束部５に近接する領域における充填率が１００パーセントとならない場合がある。すなわち、例えば、図１０（ｃ）に示すように、装着溝１３´の４隅においてガスケット１２´と装着溝１３´との間にわずかな隙間が形成され、中空糸膜４が開口した空間２４に隣接する接合面に
おけるガスケット１２´と装着溝１３´との間の隙間と、中空糸膜の外壁面が露出した空間２３に隣接する接合面におけるガスケット１２´と装着溝１３´との間の隙間と、が疎通してしまう場合がある。
【００８０】
本実施例によれば、領域Ｌにそのような隙間が形成されてしまった場合でも、固定部９を形成するためにケース３内に注入された液状接着剤の一部が、図９において矢印Ｍで示すように、貫通孔３３を介して領域Ｌ近傍のケース３内部側における装着溝１３´とガスケット１２´（ガスケット１２´のうち装着溝１３´に対する充填率が低い部分１２´ａ）との間の隙間に流れ込み（図１０（ｂ））、その流れ込んだ液状接着剤の一部がその粘性によって領域Ｌに形成された隙間（装着溝１３´とガスケット１２´のうち装着溝１３´に対する充填率が高い部分１２´ｂとの間の隙間）に入り込んで硬化して隙間を埋めることになる（図１０（ｃ）における流入部９ａ）。これにより、中空糸膜４の外部側の流通空間と内部側の流通空間とが、ガスケット１２´と装着溝１３´との間の隙間を介して疎通してしまうのを抑制することができる。すなわち、中空糸膜束２をケース３内部に封止固定するため（固定部９を形成するため）の液状接着剤を利用してケース３の密封性の向上を図ることができる。なお、流入部９ａは、中空糸膜４の外部側の流通空間と内部側の流通空間との疎通を抑制することができるのであれば、領域Ｌの全域に形成される必要はなく、一部であってもよい。
【００８１】
本実施例では、貫通孔３３が、装着溝１３´の側壁面のうちケース３内部側の側壁面の中央部に開口する構成となっているが、貫通孔３３が開口する位置は、貫通孔３３から流れ込んできた液状接着剤によって領域Ｌにおけるケース３内部側のガスケット１２´と装着溝１３´との間の隙間を埋めることができれば、これに限られるものではない。貫通孔３３の大きさ等についても同様である。
【００８２】
また、装着前におけるガスケット１２´の容積が装着溝１３´の収容容積に対して同等以上とされる各領域にそれぞれ設けられる貫通孔３３の数は、本実施例のように各１つに限られるものではなく、各領域毎に複数設けられる構成であってもよい。
【００８３】
また、貫通孔３３の構成についても、ケース３の接合面に溝を設けてケース蓋３１とケース本体３２とが接合された状態において貫通孔３３が形成されるような構成であってもよい。
【００８４】
また、上記実施例３に係る中空糸膜モジュールについても、本実施例のような貫通孔を設けることで、本実施例と同様にケースの密封性の向上を図ることができる。
【００８５】
なお、上記各実施例は可能な限り互いに組み合わせることができる。
【図面の簡単な説明】
【００８６】
【図１】実施例１に係る中空糸膜モジュールの模式的説明図。
【図２】実施例１に係る中空糸膜モジュールの模式的一部拡大断面図。
【図３】実施例１に係る中空糸膜モジュールの概略構成を説明する模式的斜視図。
【図４】実施例１に係る中空糸膜モジュールの模式的製造工程図。
【図５】実施例１に係る中空糸膜モジュールの模式的平面図。
【図６】実施例１に係る中空糸膜モジュールの模式的一部拡大断面図。
【図７】実施例２に係る中空糸膜モジュールの模式的一部拡大断面図。
【図８】実施例３に係る中空糸膜モジュールの模式的一部拡大断面図。
【図９】実施例４に係る中空糸膜モジュールの模式的一部拡大平面図。
【図１０】実施例４に係る中空糸膜モジュールの模式的一部拡大断面図。
【図１１】従来例に係る中空糸膜モジュールの構成について説明する模式的平面図。
【図１２】従来例に係る中空糸膜モジュールの模式的断面図。
【符号の説明】
【００８７】
１  中空糸膜モジュール
２  中空糸膜束
３  ケース
３１  ケース蓋
３１ａ  接合面
３２  ケース本体
３２ａ  接合面
４  中空糸膜
５  結束部
６１、６２  第１開口部
７１、７２  第２開口部
８  ピン穴
９  固定部
１０  注入口
１１  排出口
１２  ガスケット
１３  装着溝
１４  液状接着剤
１５  隙間
【図１】
0005071070.tif 000002
【図２】
0005071070.tif 000003
【図３】
0005071070.tif 000004
【図４】
0005071070.tif 000005
【図５】
0005071070.tif 000006
【図６】
0005071070.tif 000007
【図７】
0005071070.tif 000008
【図８】
0005071070.tif 000009
【図９】
0005071070.tif 000010
【図１０】
0005071070.tif 000011
【図１１】
0005071070.tif 000012
【図１２】
0005071070.tif 000013